(57)【特許請求の範囲】
【請求項１】
ネットワークを介して取得可能な複数のコンテンツを、前記ネットワークを介して取得可能なメタ情報に基づいて一覧表示するコンテンツ一覧表示手段と、
放送、記録媒体及び前記ネットワークのいずれかを介して取得され、再生、録画及び予約のいずれかの処理動作が行なわれたコンテンツを登録するコンテンツ登録手段と、
前記コンテンツ一覧表示手段で一覧表示された複数のコンテンツのうち、前記コンテンツ登録手段に登録されたコンテンツに対して、当該コンテンツに行なわれた処理動作に対応した印を付加する制御手段とを具備し、
前記コンテンツ一覧表示手段で一覧表示された複数のコンテンツのうち、前記コンテンツ登録手段に登録されたコンテンツに対して付加され、当該コンテンツに行なわれた処理動作に対応した印は、一括して消去可能である映像処理装置。
【請求項２】
前記制御手段は、前記コンテンツ登録手段に登録されたコンテンツを、前記コンテンツ一覧表示手段で一覧表示される複数のコンテンツに含めないようにする請求項１記載の映像処理装置。
【請求項３】
前記コンテンツ登録手段は、放送、記録媒体及び前記ネットワークのいずれかを介して取得されたコンテンツに対して、再生、録画及び予約のいずれかの処理動作が行なわれる毎に、そのコンテンツのコンテンツ名と、そのコンテンツに行なわれた処理動作の内容とを対応させて登録する請求項１記載の映像処理装置。
【請求項４】
前記制御手段は、前記コンテンツ一覧表示手段で一覧表示された複数のコンテンツのうち、コンテンツ名が前記コンテンツ登録手段に登録されているコンテンツ名と対応するコンテンツに対して、当該コンテンツに行なわれた処理動作に対応した印を付加する請求項３記載の映像処理装置。
【請求項５】
前記ネットワークはインターネットである請求項１記載の映像処理装置。
【請求項６】
コンテンツ一覧表示手段により、ネットワークを介して取得可能な複数のコンテンツを、前記ネットワークを介して取得可能なメタ情報に基づいて一覧表示することと、
コンテンツ登録手段により、放送、記録媒体及び前記ネットワークのいずれかを介して取得され、再生、録画及び予約のいずれかの処理動作が行なわれたコンテンツを登録することと、
制御手段により、前記コンテンツ一覧表示手段で一覧表示された複数のコンテンツのうち、前記コンテンツ登録手段に登録されたコンテンツに対して、当該コンテンツに行なわれた処理動作に対応した印を付加することとを有し、
前記コンテンツ一覧表示手段で一覧表示された複数のコンテンツのうち、前記コンテンツ登録手段に登録されたコンテンツに対して付加され、当該コンテンツに行なわれた処理動作に対応した印は、一括して消去可能である映像処理方法。
【発明の詳細な説明】
【技術分野】
【０００１】
この発明の実施の形態は、ネットワークを介して取得可能なコンテンツの一覧を表示する映像処理装置及び映像処理方法に関する。
【背景技術】
【０００２】
周知のように、近年のデジタルテレビジョン放送受信装置にあっては、受信した番組をハードディスクや光ディスク等の記録媒体に記録再生するだけでなく、例えばインターネット等のネットワークを介して特定のサーバにアクセスし、そのサーバから所望のコンテンツを取得して視聴や記録再生を行なう機能を有するものが普及している。
【０００３】
ところで、ネットワークを介して取得可能なコンテンツの数は膨大であり、例えばジャンルやキーワード等を設定して範囲を絞って検索したとしても、依然としてその数は多大である。このため、検索された多数のコンテンツを一覧表示しても、その中からユーザが所望のコンテンツを見つけ出す作業が非常に困難になっている。
【先行技術文献】
【特許文献】
【０００４】
【特許文献１】特開２００７−３１２１７３号公報
【発明の概要】
【発明が解決しようとする課題】
【０００５】
ネットワークを介して取得可能な多数のコンテンツを、ユーザが既に視聴、録画、予約等を行なった経験の反映されたわかり易い形態で一覧表示することができ、ひいては、ユーザのコンテンツ検索作業を容易化し得るようにした映像処理装置及び映像処理方法を提供することを目的とする。
【課題を解決するための手段】
【０００６】
実施の形態によれば、映像処理装置は、コンテンツ一覧表示手段とコンテンツ登録手段と制御手段とを備える。コンテンツ一覧表示手段は、ネットワークを介して取得可能な複数のコンテンツを、ネットワークを介して取得可能なメタ情報に基づいて一覧表示する。コンテンツ登録手段は、放送、記録媒体及びネットワークのいずれかを介して取得され、再生、録画及び予約のいずれかの処理動作が行なわれたコンテンツを登録する。制御手段は、コンテンツ一覧表示手段で一覧表示された複数のコンテンツのうち、コンテンツ登録手段に登録されたコンテンツに対して、当該コンテンツに行なわれた処理動作に対応した印を付加する。
【図面の簡単な説明】
【０００７】
【図１】実施の形態におけるネットワークシステムの一例を説明するために示すブロック構成図。
【図２】同実施の形態におけるネットワークシステムを構成するデジタルテレビジョン放送受信装置の信号処理系を説明するために示すブロック構成図。
【図３】同実施の形態におけるデジタルテレビジョン放送受信装置を操作するリモートコントローラを説明するために示す外観図。
【図４】同実施の形態におけるネットワークシステムを構成する管理テーブルサーバに格納される管理テーブルの一例を説明するために示す図。
【図５】同実施の形態におけるデジタルテレビジョン放送受信装置が行なう管理テーブル作成動作の一部を説明するために示すフローチャート。
【図６】同実施の形態におけるデジタルテレビジョン放送受信装置が行なう管理テーブル作成動作の残部を説明するために示すフローチャート。
【図７】同実施の形態におけるデジタルテレビジョン放送受信装置で表示されるコンテンツ一覧表示画面を説明するために示す図。
【図８】同実施の形態におけるデジタルテレビジョン放送受信装置が行なう主要な処理動作の一部を説明するために示すフローチャート。
【図９】同実施の形態におけるデジタルテレビジョン放送受信装置が行なう主要な処理動作の残部を説明するために示すフローチャート。
【図１０】同実施の形態におけるデジタルテレビジョン放送受信装置で表示される管理テーブルリセット画面を説明するために示す図。
【発明を実施するための形態】
【０００８】
以下、実施の形態について図面を参照して詳細に説明する。図１は、この実施の形態で説明するネットワークシステムの一例を示している。すなわち、符号１１は例えばインターネット等に代表されるネットワーク回線網である。
【０００９】
このネットワーク回線網１１には、様々なコンテンツ配信事業者が管理する複数（この場合、ｎ個）のコンテンツ提供サーバ１２１〜１２ｎが接続されている。また、このネットワーク回線網１１には、ケーブルテレビジョン放送局１３が接続されている。
【００１０】
さらに、このネットワーク回線網１１には、市販のＤＶＤ（digital versatile disk）やＢＤ（blu-ray disk）等の光ディスクに記録されている、例えば映画や音楽等のコンテンツに関するメタ情報を提供するメタ情報提供サーバ１４が接続されている。
【００１１】
また、このネットワーク回線網１１には、詳細は後述するが、ユーザが既に視聴、録画、予約等を行なった経験のあるコンテンツについて、そのコンテンツ名と経験内容とを対応させた管理テーブルを格納する管理テーブルサーバ１５が接続されている。
【００１２】
この管理テーブルサーバ１５は、例えばその管理事業者と使用契約を結んだ不特定多数のユーザが共用可能であり、ユーザ毎に管理テーブルが作成されるが、ユーザは自己の管理テーブルにのみアクセス可能となっている。
【００１３】
そして、この管理テーブルには、ユーザが新たなコンテンツに対して視聴、録画、予約等を行なって経験を積む毎に、そのコンテンツ名と視聴、録画、予約等の経験内容とが対応して順次登録される。
【００１４】
この場合、管理テーブルに登録されるコンテンツとしては、ユーザがネットワーク回線網１１を介して取得したコンテンツに限らず、例えばテレビジョン放送を受信したコンテンツや光ディスクを再生したコンテンツ等、ユーザが視聴、録画、予約等を行なった全てのコンテンツが対象とされる。
【００１５】
また、上記ネットワーク回線網１１には、不特定多数のユーザが所持する多数のＡＶ（audio visual）機器や情報端末等が接続されるが、図１では、簡単のため、特定のユーザが所持するデジタルテレビジョン放送受信装置１６及びＰＣ（personal computer）１７が接続されている状態を例示している。
【００１６】
このうち、デジタルテレビジョン放送受信装置１６は、詳細は後述するが、デジタルテレビジョン放送局１８から送信されるテレビジョン放送を受信し、その放送番組（コンテンツ）に対して視聴、録画、予約等を行なうことができる。
【００１７】
また、デジタルテレビジョン放送受信装置１６は、ネットワーク回線網１１を介してコンテンツ提供サーバ１２１〜１２ｎやケーブルテレビジョン放送局１３等に選択的にアクセスし、そこから配信されるコンテンツを取得して視聴、録画、予約等を行なうことができる。
【００１８】
さらに、デジタルテレビジョン放送受信装置１６は、ネットワーク回線網１１を介してメタ情報提供サーバ１４にアクセスし、そこから所望のコンテンツに対するメタ情報を取得することができる。
【００１９】
また、デジタルテレビジョン放送受信装置１６は、自己が再生（ユーザにとっては視聴となる）、録画、予約等の各種動作を行なった全てのコンテンツに対して、上記した管理テーブルを作成している。
【００２０】
そして、デジタルテレビジョン放送受信装置１６は、ネットワーク回線網１１を介して管理テーブルサーバ１５にアクセスすることにより、作成した管理テーブルを管理テーブルサーバ１５に対して格納したり読み出したりすることができる。
【００２１】
また、上記ＰＣ１７も、ネットワーク回線網１１を介してコンテンツ提供サーバ１２１〜１２ｎやケーブルテレビジョン放送局１３等に選択的にアクセスし、そこから配信されるコンテンツを取得して視聴、録画、予約等を行なうことができる。
【００２２】
さらに、このＰＣ１７は、ネットワーク回線網１１を介してメタ情報提供サーバ１４にアクセスし、そこから所望のコンテンツに対するメタ情報を取得することができる。
【００２３】
また、このＰＣ１７は、自己が再生（ユーザにとっては視聴となる）、録画、予約等の各種動作を行なった全てのコンテンツに対して、上記した管理テーブルを作成している。この場合、デジタルテレビジョン放送受信装置１６とＰＣ１７のユーザが同じであるため、管理テーブルサーバ１５上における管理テーブルは１つで共用することができる。
【００２４】
つまり、デジタルテレビジョン放送受信装置１６が各種動作を行なった全てのコンテンツと、ＰＣ１７が各種動作を行なった全てのコンテンツとに対して、そのコンテンツ名と動作内容とを対応させた１つの管理テーブルが作成され、管理テーブルサーバ１５に格納されることになる。
【００２５】
そして、このＰＣ１７は、ネットワーク回線網１１を介して管理テーブルサーバ１５にアクセスすることにより、作成した管理テーブルを管理テーブルサーバ１５に対して格納したり読み出したりすることができる。
【００２６】
なお、管理テーブルサーバ１５の管理事業者との契約によっては、同じユーザが、デジタルテレビジョン放送受信装置１６とＰＣ１７とで、それぞれ別個の管理テーブルを作成し、管理テーブルサーバ１５に格納するようにすることも可能である。
【００２７】
図２は、上記デジタルテレビジョン放送受信装置１６の信号処理系を概略的に示している。すなわち、アンテナ１９で受信したデジタルテレビジョン放送信号は、入力端子２０を介してチューナ部２１に供給されることにより、所望のチャンネルの放送信号が選局される。そして、このチューナ部２１で選局された放送信号は、復調復号部２２に供給されてデジタルの映像信号及び音声信号等に復元された後、信号処理部２３に出力される。
【００２８】
この信号処理部２３は、復調復号部２２から供給されたデジタルの映像信号及び音声信号に対してそれぞれ所定のデジタル信号処理を施している。そして、この信号処理部２３は、デジタルの映像信号を合成処理部２４に出力し、デジタルの音声信号を音声処理部２５に出力している。
【００２９】
このうち、合成処理部２４は、信号処理部２３から供給されるデジタルの映像信号に、ＯＳＤ（on screen display）信号を重畳して映像処理部２６に出力している。この映像処理部２６は、入力されたデジタルの映像信号を、後段の映像表示部２７で表示可能なフォーマットに変換している。そして、この映像処理部２６から出力された映像信号が、映像表示部２７に供給されて映像表示に供される。
【００３０】
また、上記音声処理部２５は、入力されたデジタルの音声信号を、後段のスピーカ２８で再生可能なフォーマットのアナログ音声信号に変換している。そして、この音声処理部２５から出力されたアナログ音声信号が、スピーカ２８に供給されることにより音声再生に供される。
【００３１】
ここで、このデジタルテレビジョン放送受信装置１６は、上記した各種の受信動作を含むその全ての動作を制御部２９によって統括的に制御されている。この制御部２９は、ＣＰＵ（central processing unit）２９ａを内蔵しており、デジタルテレビジョン放送受信装置１６の本体に設置された操作部３０からの操作情報を受けて、または、リモートコントローラ３１から送出され受信部３２で受信した操作情報を受けて、その操作内容が反映されるように各部をそれぞれ制御している。
【００３２】
この場合、制御部２９は、メモリ部２９ｂを利用している。このメモリ部２９ｂは、主として、ＣＰＵ２９ａが実行する制御プログラムを格納したＲＯＭ（read only memory）と、該ＣＰＵ２９ａに作業エリアを提供するためのＲＡＭ（random access memory）と、各種の設定情報及び制御情報等が格納される不揮発性メモリとを有している。
【００３３】
また、この制御部２９には、ディスクドライブ部３３が接続されている。このディスクドライブ部３３は、例えばＤＶＤやＢＤ等の光ディスク３４を着脱自在とするもので、装着された光ディスク３４に対してデジタルデータの記録再生を行なう機能を有している。
【００３４】
そして、上記制御部２９は、ユーザによる操作部３０やリモートコントローラ３１の操作に基づいて、上記復調復号部２２から得られるデジタルの映像信号及び音声信号を、記録再生処理部３５によって暗号化し所定の記録フォーマットに変換した後、ディスクドライブ部３３に供給して光ディスク３４に記録させるように制御することができる。
【００３５】
また、この制御部２９は、ユーザによる操作部３０やリモートコントローラ３１の操作に基づいて、ディスクドライブ部３３により光ディスク３４からデジタルの映像信号及び音声信号を読み出させ、上記記録再生処理部３５によって復号化した後、信号処理部２３に供給することによって、以後、上記した映像表示及び音声再生に供させるように制御することができる。
【００３６】
さらに、この制御部２９には、ＨＤＤ（hard disk drive）３６が接続されている。この制御部２９は、ユーザによる操作部３０やリモートコントローラ３１の操作に基づいて、上記復調復号部２２から得られるデジタルの映像信号及び音声信号を、記録再生処理部３５によって暗号化し所定の記録フォーマットに変換した後、ＨＤＤ３６に供給してハードディスク３６ａに記録させるように制御することができる。
【００３７】
また、この制御部２９は、ユーザによる操作部３０やリモートコントローラ３１の操作に基づいて、ＨＤＤ３６によりハードディスク３６ａからデジタルの映像信号及び音声信号を読み出させ、上記記録再生処理部３５によって復号化した後、信号処理部２３に供給することによって、以後、上記した映像表示及び音声再生に供させるように制御することができる。
【００３８】
さらに、上記デジタルテレビジョン放送受信装置１６には、入力端子３７が接続されている。この入力端子３７は、デジタルテレビジョン放送受信装置１６の外部からデジタルの映像信号及び音声信号を直接入力するためのものである。この入力端子３７を介して入力されたデジタルの映像信号及び音声信号は、制御部２９の制御に基づいて、記録再生処理部３５を介した後、信号処理部２３に供給されて、以後、上記した映像表示及び音声再生に供される。
【００３９】
また、この入力端子３７を介して入力されたデジタルの映像信号及び音声信号は、制御部２９の制御に基づいて、記録再生処理部３５を介した後、ディスクドライブ部３３による光ディスク３４に対しての記録再生や、ＨＤＤ３６によるハードディスク３６ａに対しての記録再生に供される。
【００４０】
なお、上記制御部２９は、ユーザによる操作部３０やリモートコントローラ３１の操作に基づいて、ディスクドライブ部３３とＨＤＤ３６との間で、光ディスク３４に記録されているデジタルの映像信号及び音声信号をハードディスク３６ａに記録したり、ハードディスク３６ａに記録されているデジタルの映像信号及び音声信号を光ディスク３４に記録したりすることも制御している。
【００４１】
また、上記制御部２９は、ネットワークインターフェース３８を介して上記したネットワーク回線網１１に接続されている。このため、制御部２９は、ユーザによる操作部３０やリモートコントローラ３１の操作に基づいて、ネットワーク回線網１１上の各種サーバ１２１〜１２ｎ，１４，１５やケーブルテレビジョン放送局１３等にアクセスすることができるようになっている。
【００４２】
図３は、上記リモートコントローラ３１の外観を示している。このリモートコントローラ３１には、主として、電源キー３１ａ、数字キー３１ｂ、チャンネルアップダウンキー３１ｃ、音量調整キー３１ｄ、カーソル上移動キー３１ｅ、カーソル下移動キー３１ｆ、カーソル左移動キー３１ｇ、カーソル右移動キー３１ｈ、決定キー３１ｉ、メニューキー３１ｊ、戻るキー３１ｋ、終了キー３１ｌ、４色（青，赤，緑，黄）のカラーキー３１ｍ等が設けられている。
【００４３】
また、このリモートコントローラ３１には、再生停止キー３１ｎ、再生／一時停止キー３１ｏ、逆方向スキップキー３１ｐ、順方向スキップキー３１ｑ、早戻しキー３１ｒ、早送りキー３１ｓ等が設けられている。
【００４４】
すなわち、上記ディスクドライブ部３３やＨＤＤ３６に対しては、リモートコントローラ３１の再生停止キー３１ｎや再生／一時停止キー３１ｏを操作することにより、再生、停止、一時停止を行なうことが可能となる。
【００４５】
また、リモートコントローラ３１の逆方向スキップキー３１ｐや順方向スキップキー３１ｑを操作することによって、ディスクドライブ部３３またはＨＤＤ３６で光ディスク３４またはハードディスク３６ａから読み取っている映像や音声等のデータを、その再生方向に対して逆方向や順方向に一定量ずつスキップさせる、いわゆる、逆方向スキップや順方向スキップを行なうことができる。
【００４６】
さらに、リモートコントローラ３１の早戻しキー３１ｒや早送りキー３１ｓ等を操作することにより、ディスクドライブ部３３またはＨＤＤ３６で光ディスク３４またはハードディスク３６ａから読み取っている映像や音声等のデータを、その再生方向に対して逆方向や順方向に連続的に高速で再生させる、いわゆる、早戻し再生や早送り再生を行なうことができる。
【００４７】
図４は、上記デジタルテレビジョン放送受信装置１６やＰＣ１７等により作成され管理テーブルサーバ１５に格納される管理テーブルの一例を示している。すなわち、この管理テーブルには、コンテンツの登録された順番を示す登録番号（No.）と、コンテンツ名と、そのコンテンツに対するユーザの経験内容とが対応して記述されている。
【００４８】
具体的に言えば、登録番号（No.１）は、コンテンツ名が「風邪と共に去りぬ」であり、経験内容が「視聴済み」である。つまり、コンテンツ名「風邪と共に去りぬ」は、ユーザが既に視聴を完了している状態であることがわかる。
【００４９】
また、登録番号（No.２）は、コンテンツ名が「ティファニーで昼食を」であり、経験内容が「録画済み」である。つまり、コンテンツ名「ティファニーで昼食を」は、ユーザが既に録画を完了している状態であることがわかる。
【００５０】
さらに、登録番号（No.３）は、コンテンツ名が「海底三万マイル」であり、経験内容が「録画予約済み」である。つまり、コンテンツ名「海底三万マイル」は、ユーザが既に録画予約を設定している状態であることがわかる。
【００５１】
図５及び図６は、上記デジタルテレビジョン放送受信装置１６が再生、録画、予約等の各種動作を実行したコンテンツを管理テーブルに登録する処理動作をまとめたフローチャートを示している。なお、ＰＣ１７が各種動作を実行したコンテンツを管理テーブルに登録する処理動作については、同様であるためその説明を省略する。
【００５２】
すなわち、処理が開始（ステップＳ５ａ）されると、デジタルテレビジョン放送受信装置１６の制御部２９は、ステップＳ５ｂで、コンテンツに対して再生（ユーザにとっては視聴となる）、録画、予約等の各種動作が行なわれたか否かを判別する。
【００５３】
そして、コンテンツに対して再生、録画、予約等の各種動作が実行されたと判断された場合（ＹＥＳ）、制御部２９は、ステップＳ５ｃで、実行された動作の種類を判別する。まず、動作の種類が視聴の完了であると判断された場合、制御部２９は、ステップＳ５ｄで、視聴が完了したコンテンツのコンテンツ名を取得する。
【００５４】
この場合、制御部２９は、視聴の完了したコンテンツがデジタルテレビジョン放送局１８で放送されたものであれば、そのデジタルテレビジョン放送局１８で放送されるサービスデータに含まれるメタ情報から、視聴したコンテンツのコンテンツ名を取得することができる。
【００５５】
また、制御部２９は、視聴の完了したコンテンツがケーブルテレビジョン放送局１３で放送されたものであれば、そのケーブルテレビジョン放送局１３で放送されるサービスデータに含まれるメタ情報から、視聴したコンテンツのコンテンツ名を取得することができる。
【００５６】
さらに、動作の種類が録画の完了であると判断された場合、制御部２９は、ステップＳ５ｅで、録画が完了したコンテンツのコンテンツ名を取得する。また、動作の種類が予約の完了であると判断された場合、制御部２９は、ステップＳ５ｆで、予約が完了したコンテンツのコンテンツ名を取得する。これらのコンテンツ名も、視聴の完了したコンテンツのコンテンツ名と同様な手法によって取得することが可能である。
【００５７】
そして、動作の種類が、映画や音楽等のコンテンツが記録された市販の光ディスク３４の再生開始であると判断された場合、制御部２９は、ステップＳ５ｇで、光ディスク３４を再生して得られるコンテンツのコンテンツ名を取得する。このコンテンツ名は、メタ情報提供サーバ１４にアクセスして取得することができる。
【００５８】
また、動作の種類が、例えばコンテンツ提供サーバ１２１〜１２ｎ等のいずれかから、ネットワーク回線網１１を介して取得したコンテンツの再生開始であると判断された場合、制御部２９は、ステップＳ５ｈで、再生して得られるコンテンツのコンテンツ名を取得する。このコンテンツ名は、コンテンツ提供サーバ１２１〜１２ｎで配信されるサービスデータに含まれるメタ情報から取得することができる。
【００５９】
なお、動作の種類が、視聴の完了、録画の完了、予約の完了、光ディスク３４の再生開始、または、ネットワーク回線網１１を介して取得したコンテンツの再生開始以外のその他の場合、制御部２９は、処理を終了（ステップＳ６ｄ）する。
【００６０】
そして、上記ステップＳ５ｄ，Ｓ５ｅ，Ｓ５ｆ，Ｓ５ｇまたはＳ５ｈの後、制御部２９は、ステップＳ６ａで、取得したコンテンツ名が管理テーブルに登録済みであるか否かを判別し、登録済みでないと判断された場合（ＮＯ）、ステップＳ６ｂで、取得したコンテンツ名を管理テーブルに登録する。
【００６１】
このステップＳ６ｂの後、または、上記ステップＳ６ａでコンテンツ名が管理テーブルに登録済みであると判断された場合（ＹＥＳ）、制御部２９は、ステップＳ６ｃで、上記ステップＳ５ｃで判断した動作の種類に応じて、当該コンテンツ名に対応する内容（状態）の欄を更新して、処理を終了（ステップＳ６ｄ）する。
【００６２】
上記ステップＳ６ｃの処理について具体的に言えば、図４に示した管理テーブルの登録番号（No.３）のコンテンツ名「海底三万マイル」は、内容（状態）の欄が「録画予約済み」となっているが、この録画予約によって録画が完了した場合には、内容（状態）の欄が「録画済み」に更新されることになる。
【００６３】
上記のような管理テーブルが作成され管理テーブルサーバ１５に格納されている状態において、ユーザが操作部３０やリモートコントローラ３１を操作してコンテンツ提供サーバ１２１にアクセスし、そこで提供しているコンテンツの一覧表示を要求したとする。
【００６４】
この場合、一覧表示が要求されるコンテンツとしては、コンテンツ提供サーバ１２１が提供可能な全てのコンテンツの中から、ユーザの設定したジャンルやキーワード等で絞り込んだものが想定される。
【００６５】
図７は、このようにして映像表示部２７にコンテンツの一覧が表示された一例を示している。このコンテンツ一覧表示例では、それぞれが１つのコンテンツを紹介する複数のコンテンツ紹介エリア３９が、マトリクス状に並べて表示されている。
【００６６】
ただし、映像表示部２７の一画面内に、全てのコンテンツに対応する数のコンテンツ紹介エリア３９が一度に表示しきれるわけではなく、一画面内に一度に表示可能なコンテンツ紹介エリア３９の数は物理的に決まっている。
【００６７】
このため、ユーザがリモートコントローラ３１のカーソル上、下、左、右移動キー３１ｅ，３１ｆ，３１ｇ，３１ｈを選択的に操作して、画面上で表示内容を上下左右方向にスクロールさせることにより、全てのコンテンツに対応するコンテンツ紹介エリア３９を閲覧することができるようになっている。
【００６８】
このコンテンツ紹介エリア３９には、コンテンツの代表的な映像を示すサムネイル画面３９ａ、コンテンツ名３９ｂ、話数３９ｃ、出演者やあらすじ等の内容説明３９ｄ等が含まれている。
【００６９】
なお、このコンテンツ紹介エリア３９に含まれる各種の紹介内容は、コンテンツ提供サーバ１２１で配信されるサービスデータに含まれるメタ情報に基づいて表示される。つまり、複数のコンテンツを一覧表示するということは、複数のコンテンツをそれらに対応したメタ情報によって一覧表示していることになる。
【００７０】
ここで、コンテンツ一覧表示画面、つまり、複数のコンテンツに対応したコンテンツ紹介エリア３９が配列されている画面において、上記した管理テーブルに登録されているコンテンツ名に対応するコンテンツ名のコンテンツ紹介エリア３９には、管理テーブルに記述された動作内容に対応した印が付されている。
【００７１】
具体的に言えば、コンテンツ名が「風邪と共に去りぬ」であるコンテンツ紹介エリア３９には、動作内容が「視聴済み」に対応する青色丸印４０が付されている。また、コンテンツ名が「ティファニーで昼食を」であるコンテンツ紹介エリア３９には、動作内容が「録画済み」に対応する青色三角印４１が付されている。さらに、コンテンツ名が「海底三万マイル」であるコンテンツ紹介エリア３９には、動作内容が「予約済み」に対応する赤色丸印４２が付されている。
【００７２】
このように、ネットワーク回線網１１を介して取得可能な多数のコンテンツを、対応するコンテンツ紹介エリア３９を用いて一覧表示させた場合、ユーザによって既に視聴、録画、予約等の各種動作が行なわれたコンテンツに対しては、そのコンテンツ紹介エリア３９に動作内容に対応した印４０，４１，４２を付加するようにしている。
【００７３】
このため、ネットワーク回線網１１を介して取得可能な多数のコンテンツを、ユーザが既に視聴、録画、予約等を行なった経験の反映されたわかり易い形態で一覧表示することができるようになる。そして、これにより、ユーザのコンテンツ検索作業を容易化することが可能となる。
【００７４】
図８及び図９は、複数のコンテンツを一覧表示させた際、ユーザによって既に各種動作が行なわれたコンテンツに対して、そのコンテンツ紹介エリア３９に動作内容に対応した印４０，４１，４２を付加する処理動作をまとめたフローチャートを示している。
【００７５】
すなわち、処理が開始（ステップＳ８ａ）されると、デジタルテレビジョン放送受信装置１６の制御部２９は、ステップＳ８ｂで、ネットワーク回線網１１を介してコンテンツ提供サーバ１２１にアクセスし、そこで提供可能な多数のコンテンツを、メタ情報によって構成されるコンテンツ紹介エリア３９によって一覧表示させる。
【００７６】
そして、制御部２９は、ステップＳ８ｃで、一覧表示されている全てのコンテンツ紹介エリア３９を構成するメタ情報を取得する。
【００７７】
その後、制御部２９は、ステップＳ８ｄで、一覧表示されている全てのコンテンツ紹介エリア３９を構成するメタ情報をチェックしたか否かを判別し、チェックしたと判断された場合（ＹＥＳ）、処理を終了（ステップＳ８ｅ）する。
【００７８】
また、上記ステップＳ８ｄで全てのコンテンツ紹介エリア３９を構成するメタ情報をチェックしていないと判断された場合（ＮＯ）、制御部２９は、ステップＳ９ａで、先にステップＳ８ｃで取得したメタ情報の中から、予め設定された順序で１つのコンテンツ紹介エリア３９を構成するメタ情報を取り出す。
【００７９】
そして、制御部２９は、ステップＳ９ｂで、取り出したメタ情報に含まれるコンテンツ名と、管理テーブルに登録されているコンテンツ名とを比較し、ステップＳ９ｃで、メタ情報に含まれるコンテンツ名が管理テーブルに登録されているか否かを判別し、登録されていないと判断された場合（ＮＯ）、ステップＳ８ｄの処理に移行する。
【００８０】
また、上記ステップＳ９ｃでメタ情報に含まれるコンテンツ名が管理テーブルに登録されていると判断された場合（ＹＥＳ）、制御部２９は、ステップＳ９ｄで、そのコンテンツ名のコンテンツに対して管理テーブルに記述されている動作内容を判別する。
【００８１】
そして、動作内容が視聴済みであると判断された場合、制御部２９は、ステップＳ９ｅで、そのコンテンツ名に対応するコンテンツ紹介エリア３９に青色丸印４０を付加して、ステップＳ８ｄの処理に移行する。
【００８２】
また、動作内容が録画済みであると判断された場合、制御部２９は、ステップＳ９ｆで、そのコンテンツ名に対応するコンテンツ紹介エリア３９に青色三角印４１を付加して、ステップＳ８ｄの処理に移行する。
【００８３】
さらに、動作内容が予約済みであると判断された場合、制御部２９は、ステップＳ９ｇで、そのコンテンツ名に対応するコンテンツ紹介エリア３９に赤色丸印４２を付加して、ステップＳ８ｄの処理に移行する。
【００８４】
なお、上記した実施の形態では、管理テーブルをネットワーク回線網１１に接続された管理テーブルサーバ１５に格納させるようにしたが、これに限らず、管理テーブルは、ユーザの所持するデジタルテレビジョン放送受信装置１６やＰＣ１７等に格納するようにしても良いものである。
【００８５】
また、コンテンツ紹介エリアに付加する動作内容に対応した印４０，４１，４２としても、青色や赤色の丸や三角だけではなく、種々の配色や形状を組み合わせた表示形態が考えられることは言うまでもないことである。さらに、動作内容としても、視聴予約済み及び録画予約済み等のように、細分化することによって、よりユーザにわかり易い一覧表示を行なうことが可能となる。
【００８６】
一方、上記とは逆に、視聴、録画、予約のように動作を分けず、視聴、録画、予約等の何らかの処理動作が行なわれたコンテンツに対しては、一覧表示させた際、そのコンテンツ紹介エリア３９が他のコンテンツ紹介エリア３９に比して目立たないように、例えばグレーで表示されるようにするだけでも良いものである。さらには、視聴、録画、予約等の何らかの処理動作が行なわれたコンテンツに対しては、一覧表示に含めないようにすることも考えられる。
【００８７】
要するに、ネットワーク回線網１１を介して取得可能な多数のコンテンツを一覧表示させた場合、ユーザによって既に視聴、録画、予約等の何らかの動作が行なわれたコンテンツについては、その他のコンテンツに対して表示形態を変えて表示する。
【００８８】
また、上記管理テーブルは、次第に膨大な数のコンテンツ名が登録されることになるということと、デジタルテレビジョン放送受信装置１６やＰＣ１７を他人に売る場合等を考慮すると、その内容を一括消去することができる機能があると便利である。
【００８９】
この機能は、ユーザが、リモートコントローラ３１のメニューキー３１ｊを操作して階層構造となされた複数のメニュー画面に分け入ることにより、図１０に例示するような、管理テーブルリセット画面４３を映像表示部２７に表示させることにより実現される。
【００９０】
すなわち、この管理テーブルリセット画面４３は、「リセットする」及び「リセットしない」の２つの項目が表示されており、リモートコントローラ３１のカーソル左及び右移動キー３１ｇ，３１ｈを選択的に操作して「リセットする」の項目を選択し、決定キー３１ｉを操作することにより、管理テーブルの内容の一括消去が実行される。
【００９１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００９２】
１１…ネットワーク回線網、１２１〜１２ｎ…コンテンツ提供サーバ、１３…ケーブルテレビジョン放送局、１４…メタ情報提供サーバ、１５…管理テーブルサーバ、１６…デジタルテレビジョン放送受信装置、１７…ＰＣ、１８…デジタルテレビジョン放送局、１９…アンテナ、２０…入力端子、２１…チューナ部、２２…復調復号部、２３…信号処理部、２４…合成処理部、２５…音声処理部、２６…映像処理部、２７…映像表示部、２８…スピーカ、２９…制御部、２９ａ…ＣＰＵ、２９ｂ…メモリ部、３０…操作部、３１…リモートコントローラ、３２…受信部、３３…ディスクドライブ部、３４…光ディスク、３５…記録再生処理部、３６…ＨＤＤ、３６ａ…ハードディスク、３７…入力端子、３８…ネットワークインターフェース、３９…コンテンツ紹介エリア、４０…青色丸印、４１…青色三角印、４２…赤色丸印、４３…管理テーブルリセット画面。
【図１】
0005320417.tif 000002
【図２】
0005320417.tif 000003
【図３】
0005320417.tif 000004
【図４】
0005320417.tif 000005
【図５】
0005320417.tif 000006
【図６】
0005320417.tif 000007
【図７】
0005320417.tif 000008
【図８】
0005320417.tif 000009
【図９】
0005320417.tif 000010
【図１０】
0005320417.tif 000011